(57)【要約】      （修正有）【課題】ユーザが運動するときに楽で、かつ正確な姿勢の維持を可能にし、運動負荷を簡単に調節できるとともに運動効果を向上させることのできる下半身運動器具を提供する。【解決手段】下半身運動器具の椅子シート２００は、安定感を与えるために、ユーザの臀部の曲線を考慮し、運動実行中に体重を均等に分散できるように人間工学的に設計され、滑らかな曲面で一体として繋がる第１、第２及び第３のセグメント２１１〜２１３を有する。ユーザが椅子シートに座るとき、第３のセグメント２１３にはユーザの太ももの内方部位が触れる。第３のセグメントの上側境界から椅子シートの前方枠の間には、平らな上部蓋部分２１４が形成され、上部蓋部分と第３のセグメントの下には、運動アセンブリ３００を収容するための凹部が形成され、運動アセンブリは椅子シートの前方枠のうち中央部分を一部切開して形成された凹部入口を介して凹部内に挿入配置される。【選択図】図１
0003225096.tif 000002
【実用新案登録請求の範囲】
【請求項１】
椅子シート２００、及び前記椅子シート２００と一体に組み立てられる運動アセンブリ３００を含む下半身運動器具１００において、前記椅子シート２００は安定感を与えるためにユーザの臀部の曲線を考慮し、運動実行中に体重を均等に分散させることができるように人間工学的に設計され、滑らかな曲面で一体として繋がる第１のセグメント２１１、第２のセグメント２１２及び第３のセグメント２１３を有し、前記第１のセグメント２１１に対向して前記第２のセグメント２１２の前方には、前記第３のセグメント２１３が上方向に一定の高さだけ突出して形成され、ユーザが前記椅子シート２００に座るときに前記第３のセグメント２１３には、ユーザーの太ももの内方部位が触れるように構成され、前記第３のセグメント２１３の上側境界から前記椅子シート２００の前方枠の間には、平らな上部蓋部分２１４が形成され、前記上部カバー部分２１４と前記第３のセグメント２１３の下には、前記運動アセンブリ３００を収容するための凹部２２０が形成され、前記運動アセンブリ３００は前記凹部２２０に近づくことができるように前記椅子シート２００の前方枠のうち中央部分を一部切開して形成された凹部入口２２２を介して前記凹部２２０内に挿入して配置されることを特徴とする下半身運動器具。
【請求項２】
前記第１のセグメント２１１の曲率半径は、前記第２のセグメント２１２の曲率半径よりも小さく、前記第１のセグメント２１１と前記第２のセグメント２１２の中心部は、それぞれの縁部位から下方向に１〜３ｃｍの深さにスムーズに入るように形成されたことを特徴とする請求項１に記載の下半身運動器具。
【請求項３】
前記運動アセンブリ３００は、
前記椅子シート２００に形成された前記凹部２２０の形状に適合する形状を有し、前記椅子シート２００の前方枠の下に着脱可能に固定装着される支持板３１０と、
前記支持板３１０の上部面上に突出して形成されたガイドレール３１１と、
前記ガイドレール３１１の一側で前記支持板３１０に固定装着されたガイドブロック３２０と、
前記ガイドブロック３２０の上部に装着されたネジ棒状の作動ロッド３３０と、
前記作動ロッド３３０の一側に取り付けられたハンドル３３２と、
前記作動ロッド３３０の他側に取り付けられた連結ブロック３３４と、
前記連結ブロック３３４の両側にそれぞれ一側が固定して取り付けられた一対の引張バネ３２２と、
前記引張バネ３２２の他側が先端部に固定され、回転軸３２６によって前記支持板３１０の上部面に旋回可能に装着されたアーム３２４と、
前記アーム３２４の後端部に一体に取り付けられた圧迫部材３４０と、
を含むことを特徴とする請求項１に記載の下半身運動器具。
【請求項４】
前記ガイドレール３１１は、前記支持板３１０の相対的に小さい幅方向に沿って前記支持板３１０を横切るように形成され、前記運動アセンブリ３００が前記凹部２２０内に挿入された状態で、前記ハンドル３１２は前記椅子シート２００の前方に露出されたことを特徴とする請求項３に記載の下半身運動器具。
【請求項５】
前記連結ブロック３３４は、前記ハンドル３３２の操作によって前記作動ロッド３３０に沿って前後方に移動可能であり、一側が前記連結ブロック３３４に固定して取り付けられた前記引張バネ３２２のテンションが調整され、前記圧迫部材３４０は所定のクッションを有することを特徴とする請求項４に記載の下半身運動器具。
【考案の詳細な説明】
【技術分野】
【０００１】
本考案は、下半身運動器具に関し、より詳しくは、下半身への運動効果を最大化するために、人間工学的に設計され、ユーザの好みに応じて運動強度を簡単に調整して設定できるので、運動時の楽さと正確な姿勢の維持が可能で、運動効果に優れて使い易い下半身運動器具に関する。
【背景技術】
【０００２】
現代人は、都心化された環境に因り活動スペースが縮小され、それに応じて活動量と運動量が急激に減っている。それにより肥満、各種成人病、ストレス、消化器系の病気、骨格変形、骨粗しょう症のような骨格系異常の疾患などに苦しんでいる。
【０００３】
運動不足は、急激な体力低下の原因とされるが、基礎体力は、競争社会の中で自身を支える原動力である。現代社会を生きていく上で必要な体力と力を育て、運動不足に因り発生する様々な病気を予防し、精神的にも身体的にも健康的な生活を営むために運動の必要性は大きい話題になっている。
【０００４】
運動は、身体器官と機能を健康な状態に維持し増進させるための活動であって、規則的に運動をしなければ筋肉量が減少して、筋肉が衰弱し骨が弱くなって骨粗しょう症にかかり易く、骨が曲がる骨格疾患などの異常が発生される。特に、運動不足で体脂肪が増大すると、肥満になり、肥満は各種成人病の主犯である。
【０００５】
運動をすると、体脂肪の除去、筋肉量の増大、ストレス解消、心拍出量の増加で心血管系疾患の予防、脳の活動が活発になり、正しい姿勢と体形矯正効果を得ることができる。さらに、消化力が促進され、体に抵抗力が生じて柔軟性と筋力が向上する。
【０００６】
我々の体において下半身は筋肉量の最も多い所である。即ち、動するときにエネルギーが最も大きい部位であるため、活発なエネルギー消耗を介して体脂肪の減少に大きく役に立つ。また、筋肉量が増えると基礎代謝量も上がるので、新陳代謝を活発にしてくれる基礎代謝量の上昇にも大きな影響を与える。粘り強く下半身運動をすると、下半身とお尻の筋肉が発達して関節を支える力が増えるため、膝と股関節の関節炎を予防及び改善することができる。
【０００７】
最近、経済活動により休む暇もなく忙しい現代人の健康増進のために、様々な下半身運動器具が開発され市販されているが、添付の図９には、従来の下半身鍛錬機の構造が示されている。図示された従来の下半身鍛錬機では、回動部材（２０、４０）が座板１０の一側に回動自在に結合されて、その一端部が外側に突出して延長形成されており、回動部材（２０、４０）の一端部には、ユーザの太ももの内方に触れる圧迫部材（３０、５０）が設けられており、圧迫部材（３０、５０）に外力が加わると回動部材（２０、４０）も同時に回動される構造であり、圧迫部材（３０、５０）が移動された後に外力が除去されると、復帰手段により圧迫部材（３０、５０）を元の位置に復帰させる方式である。
【０００８】
しかしながら、前述した従来の下半身鍛錬機は、運動のためにユーザが座る座板が人間工学的に設計されていないので、運動するときに密着されておらず、滑り易くユーザが不便を感じることはもちろん、これを解決するために、運動時に運動を止めて姿勢を正さなければならないので、運動の効率性を阻害させる問題があった。また、ユーザの太もも部位と触れる圧迫部材も運動の便宜性を強化するための設計上の考慮がなく、所望の運動効果を達成することができなかった。さらに、ユーザの身体的な条件に応じて回動部材と圧迫部材のテンションを調節できる手段を備えていないので、使用上の不便があった。
【先行技術文献】
【特許文献】
【０００９】
【特許文献１】大韓民国公開特許第１０−２０１２−０１０４８１５号（公開日：２０１２年９月２４日）
【特許文献２】大韓民国特許登録第１０−１２４６９９５号（登録日：２０１３年３月１８日）
【特許文献３】大韓民国特許登録第１０−０７９２６０２号（登録日：２００８年１月２日）
【考案の概要】
【考案が解決しようとする課題】
【００１０】
本考案は、前述した従来の問題点を解決するために案出されたものであって、本考案が解決しようとする技術的課題は、ユーザが運動するときに楽でありながらも正確な姿勢の維持を可能にし、運動負荷を簡単に調節できるとともに運動効果を向上させることのできる下半身運動器具を提供する。
【課題を解決するための手段】
【００１１】
前述した技術的課題を解決するために、本考案は、椅子シート、及び前記椅子シートに一体に組み立てられる運動アセンブリを含む下半身運動器具であって、
前記椅子シートは、安定感を与えるために、ユーザの臀部の曲線を考慮して運動実行中に体重を均等に分散させることができるように人間工学的に設計されており、滑らかな曲面で一体として繋がる第１のセグメント、第２のセグメント及び第３のセグメントを有し、このとき前記第１のセグメントに対向して前記第２のセグメントの前方には、前記第３のセグメントが上方向に一定の高さだけ突出して形成され、ユーザが前記椅子シートに座るとき、前記第３のセグメントにはユーザの太ももの内方部位が触れ、前記第３のセグメントの上側境界から前記椅子シートの前方枠間には、平らな上部蓋部分が形成され、前記上部蓋部分と前記第３のセグメントの下には、前記運動アセンブリを収容するための凹部が形成され、前記運動アセンブリは、前記凹部に近づくことができるように前記椅子シートの前方枠のうち中央部分を一部切開して形成された凹部入口を介して前記凹部内に挿入して配置されることを特徴とする下半身運動器具を提供する。
【００１２】
前記第１のセグメントの曲率半径は、前記第２のセグメントの曲率半径よりも小さく、前記第１のセグメントと前記第２のセグメントの中心部は、それぞれの縁部位よりも１〜３ｃｍの深さにスムーズに下方向に入るように形成されたことを特徴とする。
前記運動アセンブリは、
前記椅子シートに形成された前記凹部の形状に符合する形状を有し、前記椅子シートの前方枠の下に着脱可能に固定装着される支持板と、
前記支持板の上部面上に突出して形成されたガイドレールと、
前記ガイドレールの一側で前記支持板に固定装着されたガイドブロックと、
前記ガイドブロックの上部に装着されたネジ棒状の作動ロッドと、
前記作動ロッドの一側に取り付けられたハンドルと、
前記作動ロッドの他側に取り付けられた連結ブロックと、
前記連結ブロックの両側にそれぞれ一側が固定して取り付けられた一対の引張バネと、
前記引張バネの他側が先端部に固定され、旋回軸によって前記支持板の上部面に旋回可能に装着されたアームと、及び
前記アームの後端部に一体に取り付けられた圧迫部材と、を有することを特徴とする。
【００１３】
前記ガイドレールは、前記支持板の相対的に小さな幅方向に沿って前記支持板を横切るように形成され、前記運動アセンブリが前記凹部内に挿入された状態で、前記ハンドルは前記椅子シートの前方に露出されたことを特徴とする。
【００１４】
前記連結ブロックは、前記ハンドルの操作によって前記作動ロッドに沿って前後方に移動可能であり、これにより一側が前記連結ブロックに固定して取り付けられた前記引張バネのテンションが調整され、前記圧迫部材は所定のクッションを有することを特徴とする。
【考案の効果】
【００１５】
前述したように、本考案によると、下半身運動を行なうために、ユーザが着座する椅子シートをユーザの臀部形状を考慮して人間工学的に設計することにより、運動時にユーザの坐骨結節に作用する圧力が適切に分散され、臀部が固定されて、ユーザに楽な座り心地を提供し、疲労感を軽減する。また、運動時に大きな荷重が作用する大腿部の圧力も適切に分散減少し、局所部分と尾骨に加わる圧迫が最小化されるので、安楽感と信頼性及び安全性が向上する効果を得ることができる。
【００１６】
また、椅子シートに座った状態で椅子シートの前方外部に露出された作動ロッドのハンドルを簡単に操作して、運動負荷を所望する状態に調節できることにより、運動の便宜性が向上する効果がある。さらに、ユーザの太ももに密着される圧迫部材にクッションを提供して運動時の楽さを感じることができる。
【図面の簡単な説明】
【００１７】
【図１】本考案の好ましい実施例に係る下半身運動器具の平面斜視図である。
【図２】図１に示された下半身運動器具の底面斜視図である。
【図３】図１に示された下半身運動器具の側面図である。
【図４】図１に示された下半身運動器具に適用されている椅子シートの平面斜視図である。
【図５】図４に示された椅子シートの底面斜視図である。
【図６】図４に示された下半身運動器具の側面図である。
【図７】本考案の好ましい実施例に係る下半身運動器具の運動アセンブリの構造とその使用状態を示す図である。
【図８】本考案の好ましい実施例に係る下半身運動器具の運動アセンブリの構造とその使用状態を示す図である。
【図９】従来技術に係る下半身鍛錬機の構造を示した図である。
【考案を実施するための形態】
【００１８】
本出願の図面とその詳細な説明は、単に本考案の実施例に関するものである。ここで発表した器具及び方式の利点及び他の特徴は、本考案の代表的な実施例を示した添付図面を参照した詳細な説明により、該当技術分野の熟練された当業者にさらに明らかになるであろう。特に強調しない限り、図面を通じて類似または対応する要素は、類似または対応する参照符号として示す。
【００１９】
本考案の少なくとも一つの実施例を詳細に説明する前に、本考案は、下記の明細書に発表したり、図面に示した構成及び部品の配列に本出願で限定されていないことを理解することができる。本考案は、他の実施例が可能且つ様々な方法で行なわれることができる。また、ここに採用された語法と用語は、説明を目的としたものであって制限するものではないことが分かる。
【００２０】
左側、右側、上及び下のように、ここで使用した全ての比較説明は、添付図面を参照して行なわれるが、制限的な概念を意味するものではない。説明した実施例は、或る実施例の可変的な事項の好ましい特徴を提供するものと理解することができ、特徴、部品、モジュール、要素、及び／または説明の態様は、開示された装置や方法から実質的に逸脱することなく結合、相互連結、順序化、分離、交換、位置、及び/または再配列されることができる。部品の形状及び大きさは、例示的なものであり、特に明示されない限り発表した考案に実質的に影響を与えたり制限したりすることなく変更されても良い。
以下、添付図面を参照して、本考案の好ましい実施例による下半身運動器具について詳細に説明する。
図１〜図３には、本考案の好ましい実施例に係る下半身運動器具１００が示されている。
【００２１】
図１〜図３を参照すると、下半身運動器具１００は、主に人間工学的に設計された椅子シート２００、及び前記椅子シート２００に一体に組み立てられ、ユーザをして下半身を鍛えるための作動を繰り返して行なえる運動アセンブリ３００を有する。
図４〜図６には、椅子シート２００が拡大して示されている。
【００２２】
図４〜図６を参照すると、本考案に基づいて設計された椅子シート２００は、下半身運動をするために着座するユーザの臀部の曲線を考慮し、これと共に運動実行作動に合わせて体重を均等に分散させることができるように人間工学的に設計されたものである。ユーザが椅子に座るときに、椅子はユーザのお尻を支持するようになるが、それは椅子とお尻とが互いに押しのけるためである。したがって、椅子シートは、ユーザのお尻がスムーズに出入りすることができ、椅子シートに座るときに浮き上がらず密着するように設計することが好ましい。ユーザのお尻が椅子シートに密着されない状態のまま強度の高い運動を行うと、お尻が凝る感じを超えて激しい痛みを感じるようになり、場合によっては、足が痺れる感じまで感じる。結論的に、椅子シートの人間工学的な設計が重要である。
【００２３】
そのため、本考案によると、椅子シート２００は、人間工学的に設計されるが、椅子シートの上部面を基準として見るとき、第１のセグメント２１１、第２のセグメント２１２及び第３のセグメント２１３で行われるが、第１のセグメント２１１及び第２のセグメント２１２は、滑らかな曲面に繋がる。このとき、第１のセグメント２１１の曲率半径は、第２のセグメント２１２の曲率半径よりも小さい。
【００２４】
ユーザが椅子シート２００に座るときに、第１のセグメント２１１には、ユーザの尾骨の下方の骨盤部位が安着する位置である。第１のセグメント２１１の中心部は、縁よりも約１〜３ｃｍの深さにスムーズに下方向に入るように形成され、椅子シート２００に座るユーザのお尻部位の形状を考慮して、中心部から縁に行くほど上方向に滑らかに湾曲される。このような形状によって、第１のセグメント２１１に位置する坐骨結節（尻骨）の中心にユーザの体重が均等に分散分布するようになる。
【００２５】
ユーザが椅子シート２００に座るときに、第２のセグメントにはユーザのお尻の前方部位と太もも部位が安着する。第１のセグメント２１１と同様に、第２のセグメント２１２の中心部は、縁よりも約１〜３ｃｍの深さにスムーズに下方向に入るように形成され、椅子シート２００に座るユーザのお尻部位の形状を考慮して、中心部から縁に行くほど上方向に滑らかに湾曲される。このとき、第２のセグメント２１２の曲率半径は、第１のセグメント２１１の曲率半径よりも大きいため、第２のセグメント２１２は、第１のセグメント２１１より平らに形成される。第２のセグメント２１２は、第３のセグメント２１３を囲む形で、第３セグメント２１３の左右側を通って椅子シート２００の前方枠まで延長される。椅子シート２００の水平面を基準として見るとき、第２のセグメント２１２の前方枠２１２ａは、第１のセグメント２１１の後方枠２１１ａよりも低く形成される。
【００２６】
第３のセグメント２１３は、第１のセグメント２１１に対向して第２のセグメント２１２の前方に上方向に一定の高さだけ突出して形成される。ユーザが椅子シート２００に座るときに、第３のセグメント２１３には、ユーザの太ももの内方部位が触れる。このとき、第３のセグメント２１３左右側の第２のセグメント２１２には、ユーザの太ももの下部位が安着される。第３のセグメント２１３の上側境界から椅子シート２００の前方枠の間には、平らな上部蓋部分２１４が形成される。上部蓋部分２１４と第３のセグメント２１３の下には、運動アセンブリ３００を収容するための凹部２２０が形成される。運動アセンブリ３００は、凹部２２０に近づくことができるように椅子シート２００の前方枠２１２ａのうち中央部分を一部切開して形成された凹部入口２２２を介して、前記凹部２２０内に挿入して配置される。椅子シート２００の下部面前方に提供された凹部２２０には、運動アセンブリ３００の一部分が挿入配置される。椅子シート２００の下部面上で凹部２２０の周辺には多数の補強リブ２３０が下方向に突出して形成される。
図７及び図８には、本考案の好ましい実施例に係る下半身運動器具１００の運動アセンブリ３００の構造とその使用状態図が示されている。
【００２７】
図７及び図８を参照すると、運動アセンブリ３００は平らな板材形状の支持板３１０を有する。支持板３１０は、運動アセンブリ３００の部品を固定支持する役割とともに、運動アセンブリ３００が椅子シート２００の凹部２２０内に挿入されるとき、椅子シート２００の凹部２２０を覆う下部蓋部分の役割をする。そのために、支持板３１０は、椅子シート２００に形成された凹部２２０の形状に符合する形状を有し、椅子シート２００の前方枠の下に着脱可能に固定装着される。支持板３１０の上部面上にはガイドレール３１１が突出して形成される。ガイドレール３１１は、支持板３１０の相対的に小さい幅方向に沿って支持板３１０を横切るように形成される。
【００２８】
ガイドレール３１１の下部周辺で支持板３１０にはガイドブロック３２０が装着される。ガイドブロック３２０の上部には、ネジ棒状の作動ロッド３３０が装着される。作動ロッド３３０は、ガイドレール３１１と平行に延長されるように配置されるが、作動ロッド３３０の一側にはハンドル３３２が取り付けられ、作動ロッド３３０の他側には連結ブロック３３４が取り付けられている。運動アセンブリ３００が椅子シート２００の凹部２２０内に挿入された状態で作動ロッド３３０のハンドル３１２は、椅子シート２００の前方に露出される。
【００２９】
作動ロッド３３０の他側で連結ブロック３３４と作動ロッド３３０の末端との間には、係止片３３１が固定されている。係止片３３１は、連結ブロック３３４が作動ロッド３３０の他側末端の外へ離脱することを防止する。連結ブロック３３４は、作動ロッド３３０の一側に取り付けられたハンドル３３２の操作により、ネジ棒状の作動ロッド３３０に沿って前後方に移動することになる。
【００３０】
連結ブロック３３４の両側には、引張バネ３２２の一側が取り付けられて固定される。引張バネ３２２の他側は、アーム３２４の先端部に固定される。アーム３２４は、アーム３２４の中央部位に提供された旋回軸３２６によって支持板３１０の上部面に旋回可能に装着されている。
【００３１】
アーム３２４の後端部には、圧迫部材３４０が一体に取り付けられる。圧迫部材３４０は、ユーザの太ももに密着して触れるように一定の厚さを持つ平らな板状を有する。圧迫部材３４０は、ユーザが不便を感じないように、或る程度はクッションを有するように製造される。
以下では、添付の図面を参照して、本考案の好ましい実施例に係る下半身運動器具１００の作動過程について簡単に説明する。
【００３２】
ユーザが本考案の好ましい実施例に係る下半身運動器具１００を使用して運動をするために、まず椅子シート２００の上部面上に座るが、このとき、ユーザの臀部のうち尻骨付近の部位は、第１のセグメント２１１に安着され、ユーザのお尻の前方と太もも部位は、第２のセグメント２１２に安着される。そして、ユーザの太ももの内方部位は、第３のセグメント２１３に密着される。
【００３３】
人間工学的設計によって製造された椅子シート２００の形状及び構造により、ユーザの坐骨結節に作用する圧力が適切に分散され臀部が固定されて、ユーザに楽な座り心地を提供して疲労感を軽減する。また、運動するときに坐骨結節の両端部分の次に大きな荷重が作用される大腿部の圧力も適切な分散によって減少されることはもちろん、局所部分と尾骨に加わる圧力が最小化されるので、安楽感と信頼性及び安全性の向上などに大きな効果を奏する。
【００３４】
椅子シート２００に座った状態で、ユーザは作動ロッド３３０のハンドル３１２を操作して運動の負荷を調整するようになる。つまり、椅子シート２００の前方外部に露出された作動ロッド３３０のハンドル３１２を時計回りまたは反時計回りに回すと、連結ブロック３３４がガイドレール３１１に沿って前進または後退するが、このとき、連結ブロック３３４には、引張バネ３２２を経てアーム３２４及び圧迫部材３４０が連結されているので、連結ブロック３３４の位置を調整することにより、引張バネ３２２のテンションを調節して運動負荷を調節する。
【００３５】
運動負荷を所望する状態に調節した後、ユーザはアーム３２４の後端部に一体に連結された圧迫部材３４０の外側面がユーザの太ももの内方に触れるように位置させた状態で、太ももを引いたり伸ばしたりする動作を繰り返しながら下半身筋力強化運動を行うことになる。
以上の説明は、本考案の技術的思想を例示的に説明したものに過ぎないものであり、本考案の属する技術分野において通常の知識を有する者であれば、本考案の本質的特性を逸脱しない範囲で様々な修正及び変形が可能であることを理解することができる。
【符号の説明】
【００３６】
１００：下半身運動器具                  ２００：椅子シート
２１１、２１２、２１３：セグメント      ２１４：上部蓋部分
２２０：凹部                            ３００：運動アセンブリ
３１０：支持板                          ３１１：ガイドレール
３２０：ガイドブロック                  ３２２：引張バネ
３２４：アーム                          ３２６：旋回軸
３３０：作動ロッド                      ３３２：ハンドル
３３４：連結ブロック                    ３４０：圧迫部材
【図１】
0003225096.tif 000003
【図２】
0003225096.tif 000004
【図３】
0003225096.tif 000005
【図４】
0003225096.tif 000006
【図５】
0003225096.tif 000007
【図６】
0003225096.tif 000008
【図７】
0003225096.tif 000009
【図８】
0003225096.tif 000010
【図９】
0003225096.tif 000011